(57)【要約】【課題】  ＶｏＩＰ機能を搭載した移動体通信端末からＩＰネットワークを経由して通話を発信する際に、ＩＰ電話に割り当てられた電話番号ではなく、音声通信回線からの発信に割り当てられた移動体通信端末の電話番号を、ユーザがあらかじめ登録しておかなくても発信者番号として通知させることが可能な、発信者番号通知プログラム等を提供する。【解決手段】  携帯電話機のＶｏＩＰアプリケーションでＳＩＭカードから携帯電話の電話番号（０９０番号）を読み取り、通話を発信する際にＩＰアドレスとあわせてＶｏＩＰゲートウェイサーバに送信する。これを受信したＶｏＩＰゲートウェイサーバでは、ＩＰ電話の電話番号（０５０番号）ではなく、受信したデータに含まれる携帯電話の電話番号（０９０番号）を発信者番号に設定することによって、ＩＰ電話から発信した通話に携帯電話の電話番号（０９０番号）を発信者番号として通知することが可能になる。【選択図】        図３
2013042455.tif 000002
【特許請求の範囲】
【請求項１】
移動体通信端末からデータ通信回線に発信する通話の発信者番号に、前記移動体通信端末から音声通信回線に発信する通話に割り当てられた電話番号を通知させるための発信者番号通知プログラムプログラムであって、前記移動体通信端末に、
データ通信回線に発信する通話の発信命令を受け付けるステップと、
前記通話の発信先電話番号の指定を受け付けるステップと、
前記移動体通信端末から音声通信回線に発信する通話に割り当てられた電話番号を所定の記憶領域から読み取るステップと、
前記電話番号を含む発信先電話番号へ発呼するための発呼データを、前記データ通信回線を経由して、前記電話番号を発信先に通知するための発信者番号に設定して前記発信先電話番号へ発呼するゲートウェイサーバに送信するステップと、
を実行させることを特徴とする発信者番号通知プログラム。
【請求項２】
前記移動体通信端末に、前記移動体通信端末を識別する識別アドレスを所定の記憶領域から読み取るステップを実行させ、
前記ゲートウェイサーバにおいて前記移動体通信端末が所定のユーザの使用する移動体通信端末であるかの確認に用いるために、前記発呼データを前記ゲートウェイサーバに送信するステップでは、前記識別アドレスを含む発呼データを送信すること
を特徴とする請求項１記載の発信者番号通知プログラム。
【請求項３】
移動体通信端末からデータ通信回線に発信する通話の発信者番号に、前記移動体通信端末から音声通信回線に発信する通話に割り当てられた電話番号を通知させるためのゲートウェイサーバであって、
移動体通信端末からデータ通信回線を経由して、前記移動体通信端末の所定の記憶領域から読み取った前記移動体通信端末から音声通信回線に発信する通話に割り当てられた電話番号を含む、前記移動体通信端末で指定された発信先電話番号へ発呼するための発呼データを受信する受信手段と、
前記発呼データに含まれる電話番号を発信先に通知するための発信者番号に設定して、前記発信先電話番号へ発呼する発呼手段と、
を備えることを特徴とするゲートウェイサーバ。
【請求項４】
前記受信手段が受信する発呼データには、前記移動体通信端末の所定の記憶領域から読み取った前記移動体通信端末を識別する識別アドレスが含まれていて、
ユーザの使用する移動体通信端末を識別する識別アドレスを含むユーザ情報を格納する格納手段と、
前記受信手段の受信した発呼データに含まれる識別アドレスが、前記格納手段のユーザ情報に含まれる識別アドレスであるかを検索して、前記発呼データが所定のユーザの送信した発呼データであるかを判断する判断手段と、を備えていて、
前記発呼手段は、前記発呼データが所定のユーザの送信した発呼データと判断された場合に、前記発信先電話番号へ発呼すること
を特徴とする請求項３記載のゲートウェイサーバ。
【請求項５】
前記発呼手段は、前記発信先電話番号が音声通信回線に発信する通話に割り当てられた電話番号である場合は、音声通信回線を経由して前記発信先電話番号への音声データを発呼し、前記発信先電話番号がデータ通信回線に発信する通話に割り当てられた電話番号である場合は、データ通信回線を経由して前記発信先電話番号に対応するアドレスへの接続リクエストを送信すること
を特徴とする請求項３又は４記載のゲートウェイサーバ。
【請求項６】
移動体通信端末からデータ通信回線に発信する通話の発信者番号に、前記移動体通信端末から音声通信回線に発信する通話に割り当てられた電話番号を通知させるための、移動体通信端末に備えられる発信者番号通知プログラムと、前記移動体通信端末から送信された発呼データを受信するゲートウェイサーバからなる発信者番号通知システムであって、
前記発信者番号通知プログラムは、前記移動体通信端末に、
データ通信回線に発信する通話の発信命令を受け付けるステップと、
前記通話の発信先電話番号の指定を受け付けるステップと、
前記移動体通信端末から音声通信回線に発信する通話に割り当てられた電話番号を所定の記憶領域から読み取るステップと、
前記電話番号を含む発信先電話番号へ発呼するための発呼データを、前記データ通信回線を経由して、前記電話番号を発信先に通知するための発信者番号に設定して前記発信先電話番号へ発呼するゲートウェイサーバに送信するステップと、
を実行させ、前記ゲートウェイサーバは、
前記移動体通信端末からデータ通信回線を経由して、前記移動体通信端末の所定の記憶領域から読み取った前記移動体通信端末から音声通信回線に発信する通話に割り当てられた電話番号を含む、前記移動体通信端末で指定された発信先電話番号へ発呼するための発呼データを受信する受信手段と、
前記発呼データに含まれる電話番号を発信先に通知するための発信者番号に設定して、前記発信先電話番号へ発呼する発呼手段と、
を備えることを特徴とする発信者番号通知システム。
【請求項７】
前記発信者番号通知プログラムは、
前記移動体通信端末に、前記移動体通信端末を識別する識別アドレスを所定の記憶領域から読み取るステップを実行させ、
前記発呼データを前記ゲートウェイサーバに送信するステップでは、前記識別アドレスを含む発呼データを送信し、
前記ゲートウェイサーバは、
ユーザの使用する移動体通信端末を識別する識別アドレスを含むユーザ情報を格納する格納手段と、
前記受信手段の受信した発呼データに含まれる識別アドレスが、前記格納手段のユーザ情報に含まれる識別アドレスであるかを検索して、前記発呼データが所定のユーザの送信した発呼データであるかを判断する判断手段と、を備えていて、
前記発呼手段は、前記発呼データが所定のユーザの送信した発呼データと判断された場合に、前記発信先電話番号へ発呼すること
を特徴とする請求項６記載の発信者番号通知システム。
【請求項８】
前記ゲートウェイサーバにおいて、
前記発呼手段は、前記発信先電話番号が音声通信回線に発信する通話に割り当てられた電話番号である場合は、音声通信回線を経由して前記発信先電話番号への音声データを発呼し、前記発信先電話番号がデータ通信回線に発信する通話に割り当てられた電話番号である場合は、データ通信回線を経由して前記発信先電話番号に対応するアドレスへの接続リクエストを送信すること
を特徴とする請求項６又は７記載の発信者番号通知システム。
【請求項９】
移動体通信端末からデータ通信回線に発信する通話の発信者番号に、前記移動体通信端末から音声通信回線に発信する通話に割り当てられた電話番号を通知させるために、移動体通信端末と、前記移動体通信端末から送信された発呼データを受信するゲートウェイサーバによって実行される発信者番号の通知方法であって、
前記移動体通信端末が、データ通信回線に発信する通話の発信命令を受け付けるステップと、
前記移動体通信端末が、前記通話の発信先電話番号の指定を受け付けるステップと、
前記移動体通信端末が、前記移動体通信端末から音声通信回線に発信する通話に割り当てられた電話番号を所定の記憶領域から読み取るステップと、
前記移動体通信端末が、前記電話番号を含む発信先電話番号へ発呼するための発呼データを、前記データ通信回線を経由して、前記電話番号を発信先に通知するための発信者番号に設定して前記発信先電話番号へ発呼するゲートウェイサーバに送信するステップと、
前記ゲートウェイサーバが、前記移動体通信端末からデータ通信回線を経由して、前記移動体通信端末の所定の記憶領域から読み取った前記移動体通信端末から音声通信回線に発信する通話に割り当てられた電話番号を含む、前記移動体通信端末で指定された発信先電話番号へ発呼するための発呼データを受信するステップと、
前記ゲートウェイサーバが、前記発呼データに含まれる電話番号を発信先に通知するための発信者番号に設定して、前記発信先電話番号へ発呼するステップと、
を有することを特徴とする発信者番号の通知方法。
【請求項１０】
前記移動体通信端末が、前記移動体通信端末を識別する識別アドレスを所定の記憶領域から読み取るステップを有し、
前記移動体通信端末が発呼データを前記ゲートウェイサーバに送信するステップにおいて、前記携帯電話は、前記識別アドレスを含む発呼データを送信し、
前記ゲートウェイサーバが、前記発呼データを受信するステップで受信した発呼データに含まれる識別アドレスが、ユーザの使用する移動体通信端末を識別する識別アドレスを含むユーザ情報を格納する格納手段のユーザ情報に含まれる識別アドレスであるかを検索して、前記発呼データが所定のユーザの送信した発呼データであるかを判断するステップを有し、
前記通話を発呼するステップにおいて、前記ゲートウェイサーバは、前記発呼データが所定のユーザの送信した発呼データと判断された場合に、前記発信先電話番号へ発呼すること
を特徴とする請求項９記載の発信者番号の通知方法。
【請求項１１】
前記通話を発呼するステップにおいて、前記ゲートウェイサーバは、前記発信先電話番号が音声通信回線に発信する通話に割り当てられた電話番号である場合は、音声通信回線を経由して前記発信先電話番号への音声データを発呼し、前記発信先電話番号がデータ通信回線に発信する通話に割り当てられた電話番号である場合は、データ通信回線を経由して前記発信先電話番号に対応するアドレスへの接続リクエストを送信すること
を特徴とする請求項９又は１０記載の発信者番号の通知方法。
【発明の詳細な説明】
【技術分野】
【０００１】
本発明は、ＩＰ（インターネットプロトコル）ネットワークを用いた音声通話（ＩＰ電話）を行うためのＶｏＩＰ（ボイスオーバーインターネットプロトコル）機能を搭載した携帯電話機等の移動体通信端末からＩＰネットワークを経由して通話を発信する際に、ＩＰ電話に割り当てられた電話番号ではなく、音声通信回線からの発信に割り当てられた移動体通信端末の電話番号を発信者番号として通知させることが可能な、発信者番号通知プログラム、ゲートウェイサーバ、発信者番号通知システム及び発信者番号の通知方法に関するものである。
【背景技術】
【０００２】
携帯電話機を用いた通話は、通常であれば音声通信回線（携帯電話網）を経由して行われるが、近時はスマートフォンの普及により携帯電話機にもＶｏＩＰ機能が備えられ、インターネット等のデータ通信回線を経由することで通話料金のかからないＩＰ電話が利用されることも多くなっている。
【０００３】
図１は、携帯電話機を用いてＩＰ電話を利用する際の一般的な仕組みを示したものである。ユーザが携帯電話機でＶｏＩＰアプリケーションを起動し、発信先の電話番号を入力して発信操作を行うと、無線ＬＡＮや携帯電話のデータ通信網を介し、インターネット経由でＩＰ電話事業者が管理するＶｏＩＰゲートウェイサーバに対して、通話のリクエストが送信される。ＶｏＩＰゲートウェイサーバでは、発信先の電話番号が携帯電話の電話番号（「０９０」や「０８０」で始まる番号、以下「０９０番号」とする。）である場合は携帯電話網経由で発信先の携帯電話機に発呼し（固定電話の電話番号の場合は公衆交換電話網経由で発信先の固定電話に発呼し）、発信先の電話番号がＩＰ電話の電話番号（「０５０」で始まる番号、以下「０５０番号」とする。）である場合はインターネット経由で発信先の電話機にリクエストを送信する。
【０００４】
一般に、ＶｏＩＰゲートウェイサーバのユーザデータベースには、各々のユーザに割り当てられたＩＰ電話の電話番号（０５０番号）が、ユーザが使用している携帯電話機のＩＰアドレスと関連付けて格納されている。携帯電話機から送信されるリクエストには携帯電話機のＩＰアドレスが含まれており、ＶｏＩＰゲートウェイサーバではＩＰアドレスに対応するＩＰ電話の電話番号（０５０番号）をデータベースから読み出して、発信者番号として発信先に通知する。
【０００５】
ところが、通話を着信する側では、発信者の携帯電話の電話番号（０９０番号）を認識していたとしても、ＩＰ電話の電話番号（０５０番号）は認識していないことが多い。そのため、電話機に発信者番号としてＩＰ電話の電話番号（０５０番号）が表示されると、着信側では誰からの通話であるかを認識することができず、応答を拒んでしまうことがある。こうした事態を避けるためには、ＶｏＩＰアプリケーションを起動して発信された通話においても、着信側にも認識されていることが多い携帯電話の電話番号（０９０番号）を発信者番号として通知することが好ましい。
【０００６】
こうした問題に対しては、サーバやルータにＩＰ電話の電話番号（０５０番号）と携帯電話等のその他の電話番号を関連付けておき、電話番号を変換する技術（例えば、特許文献１、特許文献２参照。）を適用することが考えられる。例えば、図２に示したように、ＶｏＩＰゲートウェイサーバにＩＰ電話の電話番号（０５０番号）のみでなく、携帯電話の電話番号（０９０番号）もＩＰアドレスと関連付けて記憶させておけば、発信者として通知する電話番号に、ＩＰ電話の電話番号（０５０番号）ではなく携帯電話の電話番号（０９０番号）を設定することによって、他人にも比較的認知されていることが多い携帯電話の電話番号（０９０番号）を着信側の電話機に表示させることができる。
【先行技術文献】
【特許文献】
【０００７】
【特許文献１】特開２００５−９４６４６号公報
【特許文献２】特開２００７−１５０７１１号公報
【発明の概要】
【発明が解決しようとする課題】
【０００８】
ところが、図２で示した方式を採用する場合、ユーザは自らの携帯電話の電話番号（０９０番号）をあらかじめＶｏＩＰゲートウェイサーバに登録しておかなければならない。また、携帯電話の電話番号（０９０番号）が変更された場合には、ＶｏＩＰゲートウェイサーバに登録してある番号も変更しなければならない手間が生じてしまう。
【０００９】
また、例えば、ＩＰ電話事業者の提供するサービスに加入して１つのＩＰ電話の電話番号（０５０番号）を割り当てられたユーザが、複数の携帯電話機を保有して複数の携帯電話の電話番号（０９０番号）を利用している場合、発信者番号として表示できるのは、原則として一方の携帯電話の電話番号（０９０番号）に限られることになってしまう。
【００１０】
本発明は、このような課題に対応するためになされたものであり、ＶｏＩＰ機能を搭載した携帯電話機等の移動体通信端末からＩＰネットワークを経由して通話を発信する際に、ＩＰ電話に割り当てられた電話番号ではなく、音声通信回線からの発信に割り当てられた移動体通信端末の電話番号を、ユーザがあらかじめ登録しておかなくても発信者番号として通知させることが可能な、発信者番号通知プログラム、ゲートウェイサーバ、発信者番号通知システム及び発信者番号の通知方法を提供することを目的とするものである。
【課題を解決するための手段】
【００１１】
本発明では、携帯電話機等の移動体通信端末に備えられるプログラムに、データ通信回線に通話を発信する際に、移動体通信端末から音声通信回線に発信する通話に割り当てられた電話番号を読み出し、発呼のリクエストとともにゲートウェイサーバに送信する動作を実行させる。これを受信したゲートウェイサーバでは、発信先に指定された電話番号に発呼する際に、移動体通信端末から受信した音声通信回線に発信する通話に割り当てられた電話番号を発信者番号に設定することによって、発信先にはデータ通信回線に発信する通話に割り当てられた電話番号ではなく、音声通信回線に発信する通話に割り当てられた電話番号を通知することが可能となっている。
【００１２】
本発明にかかる発信者番号通知プログラムは、移動体通信端末からデータ通信回線に発信する通話の発信者番号に、前記移動体通信端末から音声通信回線に発信する通話に割り当てられた電話番号を通知させるための発信者番号通知プログラムプログラムであって、前記移動体通信端末に、データ通信回線に発信する通話の発信命令を受け付けるステップと、前記通話の発信先電話番号の指定を受け付けるステップと、前記移動体通信端末から音声通信回線に発信する通話に割り当てられた電話番号を所定の記憶領域から読み取るステップと、前記電話番号を含む発信先電話番号へ発呼するための発呼データを、前記データ通信回線を経由して、前記電話番号を発信先に通知するための発信者番号に設定して前記発信先電話番号へ発呼するゲートウェイサーバに送信するステップと、を実行させることを特徴とする発信者番号通知プログラムである。
【００１３】
本発明において、移動体通信端末には携帯電話機の他に、ＰＨＳ端末、衛星電話機等を用いることができる。データ通信回線には、インターネット、ＬＡＮ、携帯電話のデータ通信回線などが含まれるが、回線の種別は特に限定されるものではない。音声通信回線に発信する通話に割り当てられた電話番号には、例えば携帯電話であれば、「０９０」や「０８０」で始まる電話番号が該当する。これらの番号が読み取られる所定の記憶領域には、携帯電話機であればＳＩＭ（Ｓｕｂｓｃｒｉｂｅｒ  Ｉｄｅｎｔｉｔｙ  Ｍｏｄｕｌｅ）カード（「ＵＩＭカード」とも呼ばれている。）の所定の記憶領域が該当し、移動体通信端末本体の記憶装置の記憶領域に限定されるものではない。
【００１４】
また、本発明にかかる発信者番号通知プログラムは、前記移動体通信端末に、前記移動体通信端末を識別する識別アドレスを所定の記憶領域から読み取るステップを実行させ、前記ゲートウェイサーバにおいて前記移動体通信端末が所定のユーザの使用する移動体通信端末であるかの確認に用いるために、前記発呼データを前記ゲートウェイサーバに送信するステップでは、前記識別アドレスを含む発呼データを送信することを特徴とすることもできる。
【００１５】
これによって、本発明によって提供するサービスを、所定のユーザに制限することが可能になる。ここで、移動体通信端末を識別する識別アドレスには、例えばＩＰアドレスを用いることができる。移動体通信端末を識別する識別アドレスが読み取られる所定の記憶領域も、特に限定されるものではない。
【００１６】
本発明にかかるゲートウェイサーバは、移動体通信端末からデータ通信回線に発信する通話の発信者番号に、前記移動体通信端末から音声通信回線に発信する通話に割り当てられた電話番号を通知させるためのゲートウェイサーバであって、移動体通信端末からデータ通信回線を経由して、前記移動体通信端末の所定の記憶領域から読み取った前記移動体通信端末から音声通信回線に発信する通話に割り当てられた電話番号を含む、前記移動体通信端末で指定された発信先電話番号へ発呼するための発呼データを受信する受信手段と、前記発呼データに含まれる電話番号を発信先に通知するための発信者番号に設定して、前記発信先電話番号へ発呼する発呼手段と、を備えることを特徴とするゲートウェイサーバである。
【００１７】
また、本発明にかかるゲートウェイサーバは、前記受信手段が受信する発呼データには、前記移動体通信端末の所定の記憶領域から読み取った前記移動体通信端末を識別する識別アドレスが含まれていて、ユーザの使用する移動体通信端末を識別する識別アドレスを含むユーザ情報を格納する格納手段と、前記受信手段の受信した発呼データに含まれる識別アドレスが、前記格納手段のユーザ情報に含まれる識別アドレスであるかを検索して、前記発呼データが所定のユーザの送信した発呼データであるかを判断する判断手段と、を備えていて、前記発呼手段は、前記発呼データが所定のユーザの送信した発呼データと判断された場合に、前記発信先電話番号へ発呼することを特徴とすることもできる。
【００１８】
さらに、本発明にかかるゲートウェイサーバは、前記発呼手段は、前記発信先電話番号が音声通信回線に発信する通話に割り当てられた電話番号である場合は、音声通信回線を経由して前記発信先電話番号への音声データを発呼し、前記発信先電話番号がデータ通信回線に発信する通話に割り当てられた電話番号である場合は、データ通信回線を経由して前記発信先電話番号に対応するアドレスへの接続リクエストを送信することを特徴としてもよい。
【００１９】
すなわち、ゲートウェイサーバでは、発信先電話番号が「０９０」や「０８０」で始まる携帯電話の電話番号などの音声通信回線に発信する通話に割り当てられた電話番号である場合は、携帯電話網などの音声通信回線を経由して音声データを発呼し、発信先電話番号が「０５０」で始まるＩＰ電話の電話番号などのデータ通信回線に発信する通話に割り当てられた電話番号である場合は、インターネットなどのデータ通信回線を経由して接続リクエストを送信することによって発呼される。
【００２０】
本発明は、本発明にかかる発信者番号通知プログラムとゲートウェイサーバからなる、発信者番号通知システムとして特定することもできる。
【００２１】
本発明にかかる発信者番号通知システムは、移動体通信端末からデータ通信回線に発信する通話の発信者番号に、前記移動体通信端末から音声通信回線に発信する通話に割り当てられた電話番号を通知させるための、移動体通信端末に備えられる発信者番号通知プログラムと、前記移動体通信端末から送信された発呼データを受信するゲートウェイサーバからなる発信者番号通知システムであって、前記発信者番号通知プログラムは、前記移動体通信端末に、データ通信回線に発信する通話の発信命令を受け付けるステップと、前記通話の発信先電話番号の指定を受け付けるステップと、前記移動体通信端末から音声通信回線に発信する通話に割り当てられた電話番号を所定の記憶領域から読み取るステップと、前記電話番号を含む発信先電話番号へ発呼するための発呼データを、前記データ通信回線を経由して、前記電話番号を発信先に通知するための発信者番号に設定して前記発信先電話番号へ発呼するゲートウェイサーバに送信するステップと、を実行させ、前記ゲートウェイサーバは、前記移動体通信端末からデータ通信回線を経由して、前記移動体通信端末の所定の記憶領域から読み取った前記移動体通信端末から音声通信回線に発信する通話に割り当てられた電話番号を含む、前記移動体通信端末で指定された発信先電話番号へ発呼するための発呼データを受信する受信手段と、前記発呼データに含まれる電話番号を発信先に通知するための発信者番号に設定して、前記発信先電話番号へ発呼する発呼手段と、を備えることを特徴とする発信者番号通知システムである。
【００２２】
また、本発明にかかる発信者番号通知システムは、前記発信者番号通知プログラムは、前記移動体通信端末に、前記移動体通信端末を識別する識別アドレスを所定の記憶領域から読み取るステップを実行させ、前記発呼データを前記ゲートウェイサーバに送信するステップでは、前記識別アドレスを含む発呼データを送信し、前記ゲートウェイサーバは、ユーザの使用する移動体通信端末を識別する識別アドレスを含むユーザ情報を格納する格納手段と、前記受信手段の受信した発呼データに含まれる識別アドレスが、前記格納手段のユーザ情報に含まれる識別アドレスであるかを検索して、前記発呼データが所定のユーザの送信した発呼データであるかを判断する判断手段と、を備えていて、前記発呼手段は、前記発呼データが所定のユーザの送信した発呼データと判断された場合に、前記発信先電話番号へ発呼することを特徴とすることもできる。
【００２３】
さらに、本発明にかかる発信者番号通知システムは、前記ゲートウェイサーバにおいて、前記発呼手段は、前記発信先電話番号が音声通信回線に発信する通話に割り当てられた電話番号である場合は、音声通信回線を経由して前記発信先電話番号への音声データを発呼し、前記発信先電話番号がデータ通信回線に発信する通話に割り当てられた電話番号である場合は、データ通信回線を経由して前記発信先電話番号に対応するアドレスへの接続リクエストを送信することを特徴としてもよい。
【００２４】
本発明は、本発明にかかる発信者番号通知プログラムを備えた移動体通信端末とゲートウェイサーバによって実行される、発信者番号の通知方法として特定することもできる。
【００２５】
本発明にかかる発信者番号の通知方法は、移動体通信端末からデータ通信回線に発信する通話の発信者番号に、前記移動体通信端末から音声通信回線に発信する通話に割り当てられた電話番号を通知させるために、移動体通信端末と、前記移動体通信端末から送信された発呼データを受信するゲートウェイサーバによって実行される発信者番号の通知方法であって、前記移動体通信端末が、データ通信回線に発信する通話の発信命令を受け付けるステップと、前記移動体通信端末が、前記通話の発信先電話番号の指定を受け付けるステップと、前記移動体通信端末が、前記移動体通信端末から音声通信回線に発信する通話に割り当てられた電話番号を所定の記憶領域から読み取るステップと、前記移動体通信端末が、前記電話番号を含む発信先電話番号へ発呼するための発呼データを、前記データ通信回線を経由して、前記電話番号を発信先に通知するための発信者番号に設定して前記発信先電話番号へ発呼するゲートウェイサーバに送信するステップと、前記ゲートウェイサーバが、前記移動体通信端末からデータ通信回線を経由して、前記移動体通信端末の所定の記憶領域から読み取った前記移動体通信端末から音声通信回線に発信する通話に割り当てられた電話番号を含む、前記移動体通信端末で指定された発信先電話番号へ発呼するための発呼データを受信するステップと、前記ゲートウェイサーバが、前記発呼データに含まれる電話番号を発信先に通知するための発信者番号に設定して、前記発信先電話番号へ発呼するステップと、を有することを特徴とする発信者番号の通知方法である。
【００２６】
また、本発明にかかる発信者番号の通知方法は、前記移動体通信端末が、前記移動体通信端末を識別する識別アドレスを所定の記憶領域から読み取るステップを有し、前記移動体通信端末が発呼データを前記ゲートウェイサーバに送信するステップにおいて、前記携帯電話は、前記識別アドレスを含む発呼データを送信し、前記ゲートウェイサーバが、前記発呼データを受信するステップで受信した発呼データに含まれる識別アドレスが、ユーザの使用する移動体通信端末を識別する識別アドレスを含むユーザ情報を格納する格納手段のユーザ情報に含まれる識別アドレスであるかを検索して、前記発呼データが所定のユーザの送信した発呼データであるかを判断するステップを有し、前記通話を発呼するステップにおいて、前記ゲートウェイサーバは、前記発呼データが所定のユーザの送信した発呼データと判断された場合に、前記発信先電話番号へ発呼することを特徴とすることもできる。
【００２７】
さらに、本発明にかかる発信者番号の通知方法は、前記通話を発呼するステップにおいて、前記ゲートウェイサーバは、前記発信先電話番号が音声通信回線に発信する通話に割り当てられた電話番号である場合は、音声通信回線を経由して前記発信先電話番号への音声データを発呼し、前記発信先電話番号がデータ通信回線に発信する通話に割り当てられた電話番号である場合は、データ通信回線を経由して前記発信先電話番号に対応するアドレスへの接続リクエストを送信することを特徴としてもよい。
【発明の効果】
【００２８】
本発明によって、ＶｏＩＰ機能を搭載した携帯電話機等の移動体通信端末からＩＰネットワークを経由して通話を発信する際に、ＩＰ電話に割り当てられた０５０番号等の電話番号ではなく、音声通信回線からの発信に割り当てられた０９０番号等の移動体通信端末の電話番号を、ユーザがあらかじめ登録しておかなくても発信者番号として通知させることが可能になり、携帯電話機を利用したＩＰ電話の利便性が向上する。
【００２９】
また、着信側の電話機には発信者番号として０９０番号等の移動体通信端末の電話番号が通知され、この番号に対するコールバックを発信者側の移動体通信端末は携帯電話網等の音声通信回線を経由して着信するため、移動体通信端末では着信時にＶｏＩＰアプリケーションが起動されることがなく、電池寿命を長持ちさせるのにも効果的である。
【図面の簡単な説明】
【００３０】
【図１】携帯電話機を用いたＩＰ電話の一般的な仕組みを示す図である。
【図２】携帯電話機を用いたＩＰ電話で発信者番号に携帯電話の電話番号を通知する一般的な仕組みを示す図である。
【図３】本発明によって携帯電話機を用いたＩＰ電話で発信者番号に携帯電話の電話番号を通知する仕組みを示す図である。
【図４】本発明にかかる発信者番号通知システムの構成を示すブロック図である。
【図５】本発明においてゲートウェイサーバに備えられるユーザ情報の一例を示す図である。
【図６】本発明にかかる発信者番号通知プログラムの処理フローを示すフローチャートである。
【図７】本発明にかかるゲートウェイサーバの処理フローを示すフローチャートである。
【発明を実施するための形態】
【００３１】
本発明を実施するための形態について、図面を用いて以下に詳細に説明する。尚、以下では移動体通信端末に携帯電話を用いる例について説明するが、以下の説明は本発明の実施形態の一例を示すものであって、移動体通信端末、データ通信回線、電話機等の種類など、本発明はかかる実施形態に限定されるものではない。
【００３２】
図１は、携帯電話機を用いたＩＰ電話の一般的な仕組みを示している。通常、携帯電話機から通話を発信する際は、携帯電話網の音声通信回線を経由して発信先の電話機（携帯電話機には限定されないがここでは携帯電話機とする）に接続されるが、携帯電話機がＶｏＩＰ機能を備えている場合は、ＶｏＩＰアプリケーションを起動して発信の操作を行うと、無線ＬＡＮや携帯電話網のデータ通信回線からインターネットに接続され、ＶｏＩＰゲートウェイサーバを介して発信先の電話機に接続される。
【００３３】
ここでＶｏＩＰゲートウェイサーバには、ユーザデータベースにＩＰ電話サービスのユーザの使用している携帯電話機のＩＰアドレスとユーザ毎に割り当てられたＩＰ電話の電話番号（０５０番号）が関連付けられていて、ＶｏＩＰゲートウェイサーバは発信者番号にユーザのＩＰアドレスに対応するＩＰ電話の電話番号（０５０番号）を設定して、発信先に発呼する。発信先の電話番号が携帯電話の電話番号（０９０番号）である場合は、携帯電話網の音声通信回線から発呼され、発信先の電話番号がＩＰ電話の電話番号（０５０番号）である場合は、発信先の電話番号（０５０番号）に対応するＩＰアドレスに通話を接続するリクエストがインターネット経由で送信される。
【００３４】
これに対して、図２は、携帯電話機を用いたＩＰ電話で発信者番号に携帯電話の番号を通知する一般的な仕組みを示している。図１に示した方式だと、着信側の電話機には発信者の電話番号としてＩＰ電話の電話番号（０５０番号）が通知される。これを着信側でも認識されていることが多い携帯電話の電話番号（０９０番号）に置き換えるために、ＶｏＩＰゲートウェイサーバには、各々のユーザのＩＰアドレスに携帯電話の電話番号（０９０番号）をあらかじめ登録しておく。そして、発信者番号にはＩＰ電話の電話番号（０５０番号）ではなく携帯電話の電話番号（０９０番号）を設定することによって、着信側の電話機には携帯電話の電話番号（０９０番号）が発信者番号として通知される。
【００３５】
図２に示した方式の前提として、ＶｏＩＰゲートウェイサーバにユーザの携帯電話の電話番号（０９０番号）をあらかじめ登録しておかなければならないが、通常はＩＰ電話事業者が割り当てるＩＰ電話の電話番号（０５０番号）に対して、各々のユーザが契約している携帯電話の電話番号（０９０番号）をＩＰ電話事業者が把握することはできない。そのため、この方式を利用するためには、ユーザがあらかじめＩＰ電話事業者に自らの携帯電話の電話番号（０９０番号）を届け出るとともに、携帯電話の電話番号（０９０番号）が変更された際にも常に届け出ることが必要になってしまう。
【００３６】
そこで本発明では、図３に示したように、携帯電話機のＶｏＩＰアプリケーションでＳＩＭカードから携帯電話の電話番号（０９０番号）を読み取り、通話を発信する際にＩＰアドレスとあわせてＶｏＩＰゲートウェイサーバに送信する。これを受信したＶｏＩＰゲートウェイサーバでは、ＩＰ電話の電話番号（０５０番号）ではなく、受信したデータに含まれる携帯電話の電話番号（０９０番号）を発信者番号に設定することによって、ＶｏＩＰゲートウェイサーバにあらかじめ登録しておかなくても、ＩＰ電話から発信した通話に携帯電話の電話番号（０９０番号）を発信者番号として通知することが可能となっている。
【００３７】
図４は、本発明にかかる発信者番号通知システムの構成の一例を示している。本発明に用いられるスマートフォンなどの携帯電話機１０は、一般的な通話機能に必要な構成の他に、ＣＰＵ、メインメモリ、補助記憶装置を備え、様々なアプリケーションプログラムを動作させることができる構成となっている。ＶｏＩＰゲートウェイサーバ２０には、インターネットに接続されたサーバコンピュータが用いられる。
【００３８】
携帯電話機１０において、携帯通話発信部１１は、携帯電話機から音声通信回線に通話を発信するためベースバンドＬＳＩ等に対応する。ＳＩＭカード１２は、携帯電話の電話番号（０９０番号）などのユーザ情報を記憶した小型のカードで、携帯電話機１０に挿入してデータの読み取りが可能な構成となっている。ＶｏＩＰアプリケーション１３は、携帯電話機１０をＩＰ電話として用いるためのアプリケーションプログラムで、携帯電話機１０の補助記憶装置に記憶され、このプログラムを起動するとメインメモリに読み出されてＣＰＵで演算処理を実行し、所定の機能が実現される。無線ＬＡＮモジュール１４は、ＶｏＩＰアプリケーション１３からの信号を無線ＬＡＮのアクセスポイント等に送信する電波に変換するモジュールである。ＲＦモジュール１５は、携帯通話発信部１１やＶｏＩＰアプリケーション１３からの信号を携帯電話のアンテナで送信する電波に変換するモジュールである。
【００３９】
無線ＬＡＮモジュール１４から送出されたデータは、無線ＬＡＮのネットワークを経由してインターネットに発信される。ＲＦモジュール１５から送出されたデータは、デジタルデータは携帯電話網のデータ通信回線を経由してインターネットに発信され、音声データは携帯電話の音声通信回線に発信される。
【００４０】
ＶｏＩＰゲートウェイサーバ２０の発信処理部２１は、ＶｏＩＰゲートウェイサーバ２０において通話の発信処理を行うためのアプリケーションプログラムで、補助記憶装置からメインメモリに読み出されてＣＰＵで演算処理を実行し、所定の機能が実現される。ユーザ情報格納部２２には、ＶｏＩＰゲートウェイサーバ２０から読み出すことができる記憶装置の所定の記憶領域が割り当てられるが、その物理的な構成は特に限定されるものではなく、ＶｏＩＰゲートウェイサーバ２０を構成するコンピュータとは異なるデータベースサーバ等のコンピュータを用いることとしてもよい。
【００４１】
以上の構成を前提にして、本発明にかかる発信者番号通知プログラム、本発明にかかるゲートウェイサーバの処理フローを、それぞれ図６、図７のフローチャートを用いて説明する。
【００４２】
図６のフローチャートは、本発明にかかる発信者番号通知プログラム、すなわちＶｏＩＰアプリケーション１３による、通話発信時の処理フローを示している。携帯電話機１０においてＶｏＩＰアプリケーション１３が起動され、発信先の電話番号を指定した通話の発信命令を受け付けると（Ｓ０１）、携帯電話機１０にＳＩＭカード１２が挿入されていることを確認して（Ｓ０２）、ＳＩＭカード１２から携帯電話の電話番号（０９０番号）を読み取る（Ｓ０３）。ＳＩＭカード１２が挿入されていない場合は、エラー処理として発信不可の表示等が行われる。
【００４３】
続いて、指定された発信先の電話番号、携帯電話機１０の所定の記憶領域から読み取ったＩＰアドレス、ＳＩＭカード１２から読み取った携帯電話の電話番号（０９０番号）を含む、発信先に通話を発呼するための発呼データを生成する（Ｓ０４）。携帯電話機１０が無線ＬＡＮに接続されている場合は（Ｓ０５）、無線ＬＡＮモジュール１４から無線ＬＡＮを経由して、ＶｏＩＰゲートウェイサーバ２０に発呼データを送信する（Ｓ０８）。
【００４４】
携帯電話機１０が無線ＬＡＮに接続されていない場合は（Ｓ０５）、携帯電話網に接続されている場合は（Ｓ０６）、ＲＦモジュール１５から携帯電話網のデータ通信回線を経由して、ＶｏＩＰゲートウェイサーバ２０に発呼データを送信する（Ｓ０７）。携帯電話網にも接続されていない場合は（Ｓ０６）、エラー処理として発信不可の表示等が行われる。
【００４５】
図７は、本発明にかかるゲートウェイサーバ、すなわちＶｏＩＰゲートウェイサーバ２０における、通話発信時の処理フローを示すフローチャートである。
【００４６】
ＶｏＩＰゲートウェイサーバ２０において、携帯電話機１０から送信された発呼データを受信すると（Ｓ１１）、発信処理部２１によって以下の処理が実行される。まず、発呼データに含まれるＩＰアドレスをキーにして、ユーザ情報格納部２２のユーザ情報を検索する（Ｓ１２）。図５は、ユーザ情報格納部２２に格納されたユーザ情報の一例を示したものであるが、ＩＰ電話サービスの契約者であるユーザ毎に設けられたレコードに、ユーザの使用する携帯電話機のＩＰアドレス、ＩＰ電話の電話番号（０５０番号）を含むユーザ情報が格納されている。
【００４７】
ユーザ登録がない場合（Ｓ１３）、すなわち、受信した発呼データに含まれるＩＰアドレスがユーザ情報格納部２２に格納された有効なユーザ情報に含まれていなければ、エラー処理として携帯電話機１０に発信不可等のレスポンスが返されるが、該当するＩＰアドレスがヒットしてユーザ登録が確認されれば（Ｓ１３）、発信先に発呼するための以下の処理が行われる。
【００４８】
受信した発呼データに携帯電話の電話番号（０９０番号）が含まれている場合は（Ｓ１４）、受信した発呼データに含まれる携帯電話の電話番号（０９０番号）を、発信する通話の発信者番号に設定する（Ｓ１５）。受信した発呼データに携帯電話の電話番号（０９０番号）が含まれていない場合は（Ｓ１４）、受信した発呼データに含まれるＩＰアドレスに対応するユーザ情報からＩＰ電話の電話番号（０５０番号）を読み出して、発信する通話の発信者番号に設定する（Ｓ１６）。
【００４９】
続いて、受信した発呼データに指定された発信先の電話番号が携帯電話の電話番号（０９０番号）である場合は（Ｓ１７）、携帯電話網を経由して指定された携帯電話の電話番号（０９０番号）に発呼する（Ｓ１８）。受信した発呼データに指定された発信先の電話番号が携帯電話の電話番号（０９０番号）でなく、ＩＰ電話の電話番号（０５０番号）である場合は（Ｓ１７）、発信先の電話番号に対応するＩＰアドレスをユーザ情報格納部２２から検索して読み出し、インターネットを経由して発信先の電話番号に対応するＩＰアドレスに、呼を接続するための接続リクエストを送信することによって発呼する（Ｓ１９）。
【００５０】
以上に説明した処理によって、ＶｏＩＰゲートウェイサーバ２０にあらかじめ携帯電話の電話番号（０９０番号）を登録しておかなくても、ＩＰ電話により発信した通話を着信した電話機に、発信者が使用する携帯電話機１０で用いられている携帯電話の電話番号（０９０番号）を、発信者番号として通知することができる。着信側から、通知された発信者番号に対してコールバックすると、携帯電話機１０では携帯電話として着信されるため、ＶｏＩＰアプリケーションを起動して待ち受ける必要はなく、携帯電話機１０の電池の消耗を防ぐのにも効果的である。
【符号の説明】
【００５１】
１０  携帯電話機
１１  携帯通話発信部
１２  ＳＩＭカード
１３  ＶｏＩＰアプリケーション
１４  無線ＬＡＮモジュール
１５  ＲＦモジュール
２０  ＶｏＩＰゲートウェイサーバ
２１  発信処理部
２２  ユーザ情報記憶部
【図１】
2013042455.tif 000003
【図２】
2013042455.tif 000004
【図３】
2013042455.tif 000005
【図４】
2013042455.tif 000006
【図５】
2013042455.tif 000007
【図６】
2013042455.tif 000008
【図７】
2013042455.tif 000009